(57)【要約】【課題】  ハウス内をできるだけ均一に暖めることができるようにするとともに、各ベッドをできるだけ均一に暖め易くして各ベッドの養液槽上で生育される植物の生育にムラが生じないようにして植物の生育管理を容易にした。【解決手段】  ハウス１０と、植物を栽培するための養液が溜められる養液槽２０及び養液槽２０を支持する支持台３０を備えハウス１０内に複数列設されるベッドＢと、ハウス１０内の空気を暖めるヒートパイプ５０とを備え、ヒートパイプ５０をベッドＢの養液槽２０の長手方向に沿って設けるとともに養液槽２０の下側に複数本並設した。【選択図】  図１
2005198555.tif 000002
【特許請求の範囲】
【請求項１】
ハウスと、植物を栽培するための養液が溜められる養液槽及び該養液槽を支持する支持台を備え上記ハウス内に複数列設されるベッドと、上記ハウス内の空気を暖めるヒートパイプとを備えた養液栽培用システムにおいて、
上記ヒートパイプを上記ベッドに付設したことを特徴とする養液栽培用システム。
【請求項２】
上記ヒートパイプを、上記ベッドの養液槽の下側に該養液槽の長手方向に沿って設けたことを特徴とする請求項１記載の養液栽培用システム。
【請求項３】
上記ヒートパイプを、上記養液槽の下側に複数本並設したことを特徴とする請求項２記載の養液栽培用システム。
【請求項４】
上記ベッドの支持台を、該養液槽が載置される枠体と、該枠体を支持し上記養液槽の長手方向に沿って該養液槽の両側に列設される複数の支持脚と、上記養液槽の長手方向両側に設けられる複数の支持脚に付設されるフレームと、該フレームにその長手方向に直交する方向に懸架される複数の懸架部材とを備えて構成し、
上記ヒートパイプを上記懸架部材に載置して支持したことを特徴とする請求項２または３記載の養液栽培用システム。
【請求項５】
上記ベッドの養液槽の養液を給排水するとともに、該養液槽に溜められる養液の水位を強制的に上昇または下降させて上記植物の根を定期的に空気中に曝露する養液給排水装置を備えたことを特徴とする請求項１，２，３または４記載の養液栽培用システム。
【請求項６】
上記養液槽に溜められる養液を循環させるとともに、該養液を活性化する養液活性器を設けたことを特徴とする請求項１，２，３，４または５記載の養液栽培用システム。
【請求項７】
上記ベッドの養液槽の開口に、該開口を覆って設けられ植物を保持するポッドが嵌められる複数の保持孔の列を複数列有した板状の保持部材を備え、上記保持部材の保持孔の列方向に対応する養液槽の底面の深さを、各列交互に異ならせたことを特徴とする請求項１，２，３，４，５または６記載の養液栽培用システム。
【請求項８】
上記ベッドの養液槽に供給される養液の温度を調節する養液温度調節器を備えたことを特徴とする請求項１，２，３，４，５，６または７記載の養液栽培用システム。
【発明の詳細な説明】
【技術分野】
【０００１】
本発明は、野菜や花卉等の植物を栽培するため養液槽を備えたベッドをハウス内に複数列設した養液栽培用システムに関する。
【背景技術】
【０００２】
従来、この種の養液栽培用システムとしては、例えば、特許文献１（特開２００３−２６５０５７号公報）に記載されたものが知られている。
【０００３】
図１６に示すように、この養液栽培用システムＳａは、ハウス１と、植物を栽培するための養液が溜められる養液槽２を備えハウス１内に複数列設されるベッドＢと、ハウス１内の空気及び養液を暖めるヒートパイプ３とを備えている。ヒートパイプ３は、内部に温水路が形成され、その外部に作動油が満たされた放熱部が形成された断面二重構造に形成されている。また、このヒートパイプ３は、ハウス１の周囲に沿って付設され、内部の温水路に、ボイラ４によって暖められた温水を流すことで、ハウス１内の温度が一定となるように制御される。
【０００４】
【特許文献１】特開２００３−２６５０５７号公報
【発明の開示】
【発明が解決しようとする課題】
【０００５】
ところで、このような従来の養液栽培用システムＳａにあっては、ヒートパイプ３がハウス１の周囲に沿って付設されているので、ハウス１の中心部が暖まり難く、ハウス１の中心に位置するベッドＢとハウス１の外側に位置するベッドＢとの間で雰囲気の温度差ができ易くなり、ハウス１全体の温度分布にムラが生じ易くなるという問題があった。また、ベッドＢの養液槽２の養液の温度にも、ムラが生じ易くなるという問題があった。
そのため、各ベッドＢの養液槽上で生育される植物の生育にムラが生じることがあり、植物の生育管理が難しくなってしまうという問題があった。
【０００６】
本発明は上記の問題点に鑑みて為されたもので、ハウス内をできるだけ均一に暖めることができるようにするとともに、各ベッドをできるだけ均一に暖め易くして各ベッドの養液槽上で生育される植物の生育にムラが生じないようにして植物の生育管理を容易にした養液栽培用システムを提供することを目的とする。
【課題を解決するための手段】
【０００７】
このような目的を達成するための本発明の養液栽培用システムは、ハウスと、植物を栽培するための養液が溜められる養液槽及び該養液槽を支持する支持台を備え上記ハウス内に複数列設されるベッドと、上記ハウス内の空気を暖めるヒートパイプとを備えた養液栽培用システムにおいて、上記ヒートパイプを上記ベッドに付設した構成としている。
【０００８】
この養液栽培用システムを用いる場合は、まず、予め、各ベッドの養液槽に、養液を供給して、この養液で養液槽を満たすとともに、養液槽の養液中に植物の根がくるように、植物を固定する。
この状態で、ヒートパイプを加温すると、ハウスの内部に設けられる複数のベッド夫々がヒートパイプで加温されるので、各ベッドの雰囲気が個々に暖められ、ベッドは列設されて分散していることから、ハウス内の温度が均一に上昇するようになり、特に、ハウスの中心部が暖まり易くなる。このため、ハウス内を均一に加温して植物の生育に最適な温度にすることができる。
即ち、各ベッドの雰囲気が個々に暖められるので、各ベッド間で雰囲気の温度差ができ難くなり、ハウスの内部が均一に暖められるようになり、ハウス全体の温度分布にムラが生じ難くなる。そのため、各ベッドの養液槽上で生育される植物の生育にムラが生じ難くなり、植物の生育管理が容易になる。
また、ヒートパイプが養液槽に比較的近く位置しているので、ヒートパイプの放射熱でベッドを直接的に加温でき、養液槽内の養液の温度分布にもムラが生じ難くなる。これによっても、各ベッドの養液槽上で生育される植物の生育にムラが生じ難くなり、植物の生育管理が容易になる。
【０００９】
また、必要に応じ、上記ヒートパイプを、上記ベッドの養液槽の下側に該養液槽の長手方向に沿って設けている。
ヒートパイプが長手方向に沿っているので、ベッドの各養液槽の養液が養液槽の長手方向において均一に暖められ易くなる。
【００１０】
更に、必要に応じ、上記ヒートパイプを、上記養液槽の下側に複数本並設している。
ベッドの養液槽の下側に設けたので、養液槽内の養液を暖め易くなる。また、ヒートパイプが複数設けられているので、加温源が多くなり、それだけ、各ベッドの雰囲気を暖め易くすることができる。また、並設されているので、養液槽内の養液が長手方向に直交する方向に均一に暖められやすくなる。そのため、各ベッドの養液槽上で生育される植物の生育にムラが生じ難くなり、植物の生育管理が容易になる。
【００１１】
更にまた、必要に応じ、上記ベッドの支持台を、該養液槽が載置される枠体と、該枠体を支持し上記養液槽の長手方向に沿って該養液槽の両側に列設される複数の支持脚と、上記養液槽の長手方向両側に設けられる複数の支持脚に付設されるフレームと、該フレームにその長手方向に直交する方向に懸架される複数の懸架部材とを備えて構成し、上記ヒートパイプを上記懸架部材に載置して支持している。
ヒートパイプを懸架部材に載置して支持しているので、ヒートパイプの支持が確実になる。
【００１２】
次にまた、必要に応じ、上記ベッドの養液槽の養液を給排水するとともに、該養液槽に溜められる養液の水位を強制的に上昇または下降させて上記植物の根を定期的に空気中に曝露する養液給排水装置を備えている。
これにより、植物の根が空気中に曝露されると、根に空気がさらされて、根腐れが防止される。
【００１３】
また、必要に応じ、上記養液槽に溜められる養液を循環させるとともに、該養液を活水する養液活性器を設けている。
養液槽の養液を循環させて活水するので、植物の生育が良好になる。また、養液槽の養液が循環されるので、養液槽の養液が再利用され、新たな養液を供給することなく植物が生育されるようになり、それだけ、コスト安になる。
【００１４】
更にまた、必要に応じ、上記ベッドの養液槽の開口に、該開口を覆って設けられ植物を保持するポッドが嵌められる複数の保持孔の列を複数列有した板状の保持部材を備え、上記保持部材の保持孔の列方向に対応する養液槽の底面の深さを、各列交互に異ならせている。
この場合、深さの深い底面の保持孔には、根高の高い植物が植えられたポッドを嵌め、深さの浅い底面の保持孔には、根高の低い植物が植えられたポッドを嵌める。そのため、根高に応じた水位を確保できるとともに、底面の浅い部分がある分、養液槽の全体の液量を減らすことができる。また、底面の深さが異なって段差があるので、植物の根が成長して延びても隣の列の植物の根と絡みにくくなる。
【００１５】
また、必要に応じ、上記ベッドの養液槽に供給される養液の温度を調節する養液温度調節器を備えている。
植物の根の働きが最適な温度になるように、養液槽の養液を冷却できるようになり、それだけ、植物の生育が容易になる。
【発明の効果】
【００１６】
本発明の養液栽培用システムによれば、ヒートパイプをベッドに付設したので、ハウスの内部に設けられる複数のベッド夫々がヒートパイプで加温されることになり、各ベッドの雰囲気が個々に暖められ、ベッドは列設されて分散していることから、ハウス内の温度が均一に上昇するようになり、特に、ハウスの中心部が暖まり易くなる。このため、ハウス内を均一に加温して植物の生育に最適な温度にすることができる。
即ち、各ベッドの雰囲気が個々に暖められるので、各ベッド間で雰囲気の温度差ができ難くなり、ハウスの内部が均一に暖められるようになり、ハウス全体の温度分布にムラが生じ難くなる。そのため、各ベッドの養液槽上で生育される植物の生育にムラが生じ難くなり、植物の生育管理を容易にすることができる。
また、ヒートパイプが養液槽に比較的近く位置しているので、ヒートパイプの放射熱でベッドを直接的に加温でき、養液槽内の養液の温度分布にもムラが生じ難くなる。これによっても、各ベッドの養液槽上で生育される植物の生育にムラが生じ難くなり、植物の生育管理を容易にすることができる。
【発明を実施するための最良の形態】
【００１７】
以下、添付図面に基づいて、本発明の実施の形態に係る養液栽培用システムについて詳細に説明する。
【００１８】
図１乃至図１３には、本発明の実施の形態に係る養液栽培用システムＳを示している。この養液栽培用システムＳの基本的構成は、ハウス１０と、植物を栽培するための養液が溜められる養液槽２０及びこの養液槽２０を支持する支持台３０を備えハウス１０内に複数列設されるベッドＢと、ハウス１０内の空気を暖めるヒートパイプ５０とを備えてなる。
【００１９】
ハウス１０は、図１及び図２に示すように、鉄骨で骨組形成され、内部の植物に日光があたるように、例えば、アクリル板を骨組の全部または一部に外壁として取り付けて形成されている。
また、ハウス１０には、ハウス１０の天井及びハウス１０の側壁に設けられる開閉可能な窓１１と、この窓から害虫が入るのを防ぐ害虫防除ネット１２と、ハウス１０の内部に設けられこのハウス１０を保温するとともに不使用時に際して収納可能な保温カーテン１３とが備えられている。保温カーテン１３は、ハウス１０内の天井近傍及び、側壁近傍に設けられている。
【００２０】
更に、ハウス１０には、水を加温して温水にするボイラ５５が付設されている。このボイラ５５からは、このボイラ５５で加温された温水を、ヒートパイプ５０に流す配管が接続されている。ボイラ５５は、ヒートパイプ５０から排出された排温水を回収し再利用可能に循環させる。
【００２１】
ベッドＢは、長手方向の長さが、例えば、５０ｍに形成されている。ベッドＢの養液槽２０は、例えば、強化繊維プラスチック（ＦＲＰ）で形成され、平面から見て矩形状の底面２１と、この底面２１の側縁から立設される４つの側面２２とを備えて構成されている。また、この養液槽２０は、養液槽２０の長手方向に相対向する側面２２を有した両端部２３と、この両端部２３間に設けられる所定長さの複数の中間部２４とを備え、これらを接着剤で接合して構成されている。
【００２２】
また、ベッドＢの養液槽２０は、図３，図４及び図７に示すように、４つの側面２２により形成される開口２５を覆って設けられ植物を保持するポッドＰが嵌められる複数の保持孔４１の列Ｌを複数列有した板状の保持部材４０を備えて構成されている。
保持孔４１は、円形に形成されている。また、保持孔４１の列は、例えば、長手方向に平行に９列形成されている。この保持部材４０は、例えば、プラスチック等で形成され、養液槽２０の開口２５の開口縁にフック部４０ａを介して架設されている。
【００２３】
また、保持部材４０の保持孔４１の列Ｌ方向に対応する養液槽２０の底面２１の深さは、保持孔４１の各列Ｌ交互に異ならせている。
詳しくは、養液槽２０の底面２１には、９列の保持孔４１の列Ｌに対応して、深さが深い５列の谷部２６と、この５列の谷部２６の間に形成され底面２１の深さが谷部２６よりも浅い４列の山部２７とが形成されている。
この養液槽２０の底面２１の谷部２６及び山部２７は、交互に列設して設けられ、谷部２６は、その深さが、例えば、１５０ｍｍ，山部２７は、その深さが６０ｍｍに形成されている。
【００２４】
ベッドＢの支持台３０は、図１乃至図７に示すように、養液槽２０が載置される枠体３１と、この枠体３１を支持し養液槽２０の長手方向に沿ってこの養液槽２０の両側に列設される複数の支持脚３２と、養液槽２０の長手方向両側に設けられる複数の支持脚３２に付設されるフレーム３３と、このフレーム３３にその長手方向に直交する方向に懸架される複数の懸架部材３４とを備えて構成されている。枠体３１，支持脚３２，フレーム３３及び懸架部材３４は、角形のパイプで形成されている。
【００２５】
ベッドＢの支持脚３２は、所定間隔で列設させられるとともに、養液槽２０が水平になるよう養液槽２０の高さを調節可能なアジャスタ３５を備えている。
フレーム３３は、ベッドＢの長手方向に隣り合う支持脚３２間に架け渡されて設けられている。
【００２６】
ヒートパイプ５０は、ベッドＢの養液槽２０の下側に養液槽２０の長手方向に沿って設けられている。
詳しくは、このヒートパイプ５０は、ベッドＢの支持台３０の懸架部材３４に載置して支持されている。また、このヒートパイプ５０は、ベッドＢの下側に複数（本発明の実施の形態では４本）その軸線を平行にして並設されている。
ヒートパイプ５０は、懸架部材３４への載置により支持されているので、ヒートパイプ５０の支持が確実になる。
【００２７】
このヒートパイプ５０は、図１０に示すように、例えば、外側にフィン５１ａを放射状に複数有した外管５１と、この外管５１内に封入される熱交換媒体Ｍと、外管５１内に挿通される熱伝達管５２とを備えて構成されている。
このヒートパイプ５０においては、熱伝達管５２に温水が流れると、液化した熱交換媒体Ｍは気化する一方、気化した熱交換媒体Ｍはフィン５１ａで放熱して冷やされた外管５１により液化する。この気化と液化のサイクルを繰り返して、ヒートパイプ５０の外側から放熱して周囲の空気を加温するものである。
図１，図８乃至図１０に示すように、熱伝達管５２には、ハウス１０のボイラ５５からの温水が送給される温水送給管５３及び熱伝達管５２を流れた後の排温水を回収する温水回収管５４が接続されている。
温水送給管５３及び温水回収管５４は、樹脂製の管体で形成され、一部は埋設されてボイラ５５に接続されている。
【００２８】
また、このヒートパイプ５０に流入する温水は、ボイラ５５に設けられるハウス温度制御部５６により制御されている。
ハウス温度制御部５６は、ハウス１０内に位置しこのハウス１０内の温度を検知するハウス温度検知センサ５８と、ハウス１０内の温度を設定可能な温度設定手段５７とを備えている。
そして、ハウス温度制御部５６は、例えば、温度設定手段５７で設定された設定温度と、ハウス温度検知センサ５８により検知された検知温度とを比較して、設定温度が検知温度よりも高ければボイラ５５をオン作動させてヒートパイプ５０に温水を送給する一方、設定温度が検知温度よりも低いかまたは同じ場合は、ボイラ５５をオフ作動させてヒートパイプ５０への温水の送給を停止する。
【００２９】
また、この養液栽培用システムＳには、図６，図１１乃至図１３に示すように、複数（実施の形態では５台）のベッドＢの各養液槽２０の養液を給排水するとともに、養液槽２０に溜められる養液の水位を強制的に上昇または下降させて、植物の根を定期的に空気中に曝露する養液給排水装置６０が備えられている。
【００３０】
この養液給排水装置６０は、養液が溜められる養液槽２０が位置する高さよりも高く位置させられるタンク６１と、このタンク６１及び養液槽２０間に介装される給排水管６２と、養液槽２０への給排水を制御する給排水制御部７０とを備えて構成されている。タンク６１には、その内部にはタンク６１の外部の空気をタンク６１に溜められた養液に吹き込むブロア６６が備えられている。給排水管６２は、タンク６１側で分岐しており、給水分岐管６２ａと、排水分岐管６２ｂとを備えている。排水分岐管６２ｂには、ポンプ６２ｃが設けられている。給水分岐管６２ａと排水分岐管６２ｂには、夫々、交互に開閉させられる電磁弁６３，６４が介装されている。ポンプ６２ｃは、排水時に、給排水管６２を介して養液槽２０の養液を吸引してタンク６１の上部からタンク６１内に流入させる。
【００３１】
また、給排水管６２には、各養液槽２０に対応して設けられ、選択的に養液槽２０への給排水を有効にする電磁弁６５が設けられている。
図１１に示すように、これらの、ポンプ６２ｃ，電磁弁６３，６４，６５は、給排水制御部７０により制御されている。給排水制御部７０の制御により養液槽２０の植物の根を空気中に曝露する場合は、電磁弁６４，６５を開にするとともに、ポンプ６２ｃを作動させて、養液槽２０の養液を吸引する。また、タンク６１の養液を養液槽２０に流入させる場合は、給排水管６２の電磁弁６３，６５を開にする。電磁弁６３，６５が開になると、タンク６１の高さ位置が養液槽２０の高さ位置よりも高く位置しているので、タンク６１からの養液は養液槽２０に流入していく。
【００３２】
給排水制御部７０は、タイマ７３と、養液槽水位検知センサ７２と、タンク水位検知センサ７７と、空気曝露タイマ７１とを備え、養液槽水位検知センサ７２及びタンク水位検知センサ７７の検知，空気曝露タイマ７１の所定時間に基づいて給排水を制御している。
タイマ７３は、各養液槽２０毎に設定可能に設けられている。このタイマ７３に設定された所定時間が経過すると、給排水制御部７０は、養液槽２０の植物の根を空気中に曝露させる命令を出す。
養液槽水位検知センサ７２は、養液槽２０に所定の最高養液槽水位及び最低養液槽水位を検知可能に設けられている。
タンク水位検知センサ７７は、タンク６１に所定の最高タンク水位及び最低タンク水位を検知可能に設けられている。
空気曝露タイマ７１は、植物の生育状況及び季節により異なる空気中に曝露する時間を、各ベッドＢ毎に設定可能に設けられている。
【００３３】
また、この養液給排水装置６０には、タンク６１に養液を補充するとともに、薬剤や薬液を調合して養液を作る養液調合タンク６７が備えられている。この養液調合タンク６７は、養液補充パイプ７５を介してタンク６１に接続されている。
養液補充パイプ７５には、給排水制御部７０に制御される電磁弁７６が設けられている。
図１１中、６８は養液補充パイプ７５に設けられ、作動によりタンク６１に養液を補充可能な補充ポンプである。６９は養液調合タンク６７に設けられ、養液調合タンク６７内の養液に空気を吹き込むブロアである。
【００３４】
更に、図６，図１２及び図１３に示すように、この養液栽培用システムＳには、養液槽２０に溜められる養液を循環させるとともに、この養液を活水する養液活性器９０が設けられている。
この養液活性器９０は、養液槽２０の一端側に設けられ養液槽２０の内部の養液を取水する取水口９２を有した取水管９１と、この取水管９１から取水した養液を活水させるセラミクス９４を有した活水器９３と、取水管９１から取水した養液の温度を調節する養液温度調節器９５と、養液槽２０の内部の他端側に設けられるとともに活水器９３からの養液を養液槽２０の他端側から流してこの他端側から一端側方向に水流を形成する放水口９７を有した放水管９６と、取水管９１から取水して放水管９６に放水させるポンプ９９とを備えて構成されている。
【００３５】
取水口９２は、養液槽２０の一端側の底面２１に開口を有して設けられている。
取水管９１は、その経路の途中にボール弁９８が設けられている。
活水器９３の内部には、層状のセラミクス９４のフィルタ９４ａが備えられ、このセラミクス９４に養液を通過させて養液を活水している。
養液温度調節器９５は、活水器９３で活水された養液を冷却する冷却器９５ａで形成され、活水器９３で活水された養液の一部をこの養液温度調節器９５に取り込んでこの取り込んだ養液を冷却している。
【００３６】
放水管９６は、養液槽２０の他端側の内部に設けられ、この養液槽２０の長手方向に直交する方向に平行に養液槽２０内に設けられている。また、この放水管９６においては、活水器９３で活水された養液と、養液温度調節器９５で冷却された養液とが混合されるとともに、この混合された養液が放水口９７から放水される。
放水口９７は、放水管９６の表面に所定間隔おきに列設して形成されている。
【００３７】
従って、この養液栽培用システムＳを用いる場合は、保持部材４０の保持孔４１に植物が植えられたポッドＰを装着するとともに、各ベッドＢの養液槽２０に、養液調合タンク６７で調合した養液を、養液給排水装置６０のタンク６１及び給排水管６２を介して供給する。
【００３８】
この状態で、養液槽２０の養液を、図１２に示すように、養液活性器９０により、養液槽２０内を循環させるとともに養液を活水する。
この際、養液は、セラミクス９４のフィルタを通るので、養液が活水させられる。また、養液槽２０内に、養液槽２０の他端から一端方向に向かう水流が形成されるので、養液の滞留を防止することができ、植物の根腐れが防止される。
【００３９】
また、ボイラ５５を作動させて、ヒートパイプ５０に温水を流す。この際、ヒートパイプ５０がベッドＢに付設されているので、ハウス１０の内部からハウス１０が暖められる。
【００４０】
詳しくは、ハウス１０の内部に設けられる５台のベッドＢ夫々がヒートパイプ５０で加温されるので、各ベッドＢの雰囲気が個々に暖められて、ハウス１０の中心部が暖まり易くなる。また、各ベッドＢの雰囲気が個々に暖められるので、各ベッドＢ間で雰囲気の温度差ができ難くなり、ハウス１０の内部が均一に暖められるようになり、ハウス全体の温度分布にムラが生じ難くなる。そのため、各ベッドＢの養液槽上で生育される植物の生育にムラが生じ難くなり、植物の生育管理が容易になる。
また、ヒートパイプ５０がベッドＢの下側に複数並設され、加温源が多くなるので、各ベッドの雰囲気が暖められ易くなる。
【００４１】
また、養液槽２０の養液は、ヒートパイプ５０により加温される一方、養液温度調節器９５の冷却器９５ａにより冷却される。そのため、養液が最適な温度になり、植物の生育が確実に行なわれる。
このようにして、ハウス内の空気及び養液槽内の養液を植物の生育に最適な温度にし、常時は、この状態でベッドＢの養液槽２０上の植物を栽培する。
【００４２】
次に、養液給排水装置６０の作用を、図１４及び図１５に示す、給排水制御部７０のフローチャートに基づいて説明する。
スイッチが入れられて養液給排水装置６０が作動すると（１−１）、まず、給排水制御部７０に設けられるタイマ７３がリセットされて所定時間の計測（１−２，１−３）を始める。タイマ７３が所定時間経過するまではそのままの状態で待機する（１−３Ｎ）。タイマ７３が所定時間経過すると（１−３Ｙ）、養液活水循環装置の作動を停止させ（１−４）、電磁弁６４，６５を開にするとともに、ポンプ６２ｃを作動させる（１−５）。
【００４３】
養液槽２０内の養液は、ポンプ６２ｃの吸引により、給排水管６２を介してタンク６１に流入させられていく。ポンプ６２ｃから送出された養液は、タンク６１の上部からタンク６１内に流入させられるので、タンク６１内を流下する。流下の際に、養液はタンク６１内の空気と接触して、この養液内の溶存酸素が増加させられる。また、タンク６１に溜められた養液には、ブロアによりタンク６１の外部の空気が吹き込まれ、この点においても溶液中の溶存酸素が増加させられる。
そして、養液槽水位検知センサ７２が最低水位を検知しないときは、そのままポンプ６２ｃを作動させ（１−６Ｎ）、その後、養液槽水位検知センサ７２が最低水位を検知すると（１−６Ｙ）、電磁弁６４，６５を閉にして、ポンプ６２ｃを停止する。
この状態では、養液槽の養液が最低水位となり、植物の根は、所定時間、空気中に曝露される。そのため、根腐れが防止される。
【００４４】
この時、空気曝露タイマ７１をリセット及び作動させる一方（１−８）、不足した養液を養液調合タンク６７から養液補充パイプ７５を介してタンク６１に流入させる。この場合、養液調合タンク６７に養液が充分あることを確認してから（１−９Ｙ）、電磁弁７６を開にしてタンク水位検知センサ７７でタンク６１内の検知水位が最高水位になるまで補充ポンプ６８を作動させ（１−１１，１−１２Ｎ）、最高水位に至ると電磁弁７６を閉にするとともに補充ポンプ６８を停止する。
養液調合タンク６７に充分な養液が無い場合は（１−９Ｎ）、養液調合タンク６７が少量である表示（図示せず）を出力して、養液調合タンク６７で養液を作るように促す（１−１０）。
【００４５】
空気曝露タイマ７１が所定時間経過すると（１−１４Ｙ）、電磁弁６３，６５を開にしてタンク６１内の養液を養液槽２０にタンク６１からの養液を流入させるようにする（２−１）。
電磁弁６３，６５は、養液槽水位検知センサ７２が最高水位を検知しないときは（２−２Ｎ）、そのまま電磁弁６３，６５を開にしておく。この際、タンク水位検知センサ７７でタンク６１内の養液の最低水位以下を検知した（２−３Ｙ）際は、養液が不足していることを表示してエラー状態にあることを表示（図示せず）してエラー状態にあることを養液栽培用システムＳの使用者に伝達し（２−４）、電磁弁６３，６５を閉にして待機する（２−５）。タンク水位検知センサ７７がタンク６１内の養液の水位が最低水位以上ある際は、電磁弁６３，６５をそのまま開にして、養液槽にタンク６１の養液を流入させる（２−３Ｎ）。
【００４６】
養液槽水位検知センサ７２が最高水位を検知すると（２−２Ｙ）、電磁弁６３，６５を閉にしてタンク６１からの養液を止めるとともに（２−６）、養液活性器９０を作動させる（２−７）。
この際、養液槽中の養液は、タンク６１中の養液が養液槽２０に至った際に、溶存酸素が増加されているので、養液槽２０の植物の根腐れを防ぐことができる。
そして、次にタイマ７３が所定時間経過するまで、この状態で待機する（１−２）。
【００４７】
この状態では、植物の根は養液に浸され、養液中の養分や水分を吸収可能になる。
この場合、養液槽２０においては、その底面２１に山部２７及び谷部２６が形成されているので、植物の根が成長して延びても、隣の列の植物の根と絡みにくくなる。
このように、養液槽２０においては、養液槽２０に溜められる養液の水位を強制的に上昇または下降させて植物の根を定期的に空気中に曝露しながら、植物が栽培されていく。
【００４８】
尚、この養液給排水装置６０が作動し、５台のベッドＢのいずれか一つについて給排水が行なわれている際に、このベッドＢとは別のベッドＢに対してタイマ７３の所定時間経過により養液槽２０の植物の根を空気中に曝露する命令がなされた場合には、別のベッドＢはそのままの状態で、先に給排水が行なわれているベッドＢの給排水が終わるまで待機する。
【図面の簡単な説明】
【００４９】
【図１】本発明の実施の形態に係る養液栽培用システムの要部を示す図である。
【図２】本発明の実施の形態に係る養液栽培用システムをベッドの列設状態とともに示す図である。
【図３】本発明の実施の形態に係る養液栽培用システムのベッドを示す断面図である。
【図４】本発明の実施の形態に係る養液栽培用システムの養液槽を示し、（ａ）は保持部材を示す平面図上面，（ｂ）は養液槽と保持部材との関係を示す分解断面図である。
【図５】本発明の実施の形態に係る養液栽培用システムのベッドの支持台を示す図である。
【図６】本発明の実施の形態に係る養液栽培用システムのハウス内部を示す斜視図である。
【図７】本発明の実施の形態に係る養液栽培用システムのベッドを示す要部断面斜視図である。
【図８】本発明の実施の形態に係る養液栽培用システムにおいて、ヒートパイプのベッドへの取り付け状態を示す側面図である。
【図９】本発明の実施の形態に係る養液栽培用システムにおいて、ヒートパイプのベッドへの取り付け状態を示す平面図である。
【図１０】本発明の実施の形態に係る養液栽培用システムのヒートパイプの構造を示す断面図である。
【図１１】本発明の実施の形態に係る養液栽培用システムの養液給排水装置を示す図である。
【図１２】本発明の実施の形態に係る養液栽培用システムの養液活性器を示す側面図である。
【図１３】本発明の実施の形態に係る養液栽培用システムの養液活性器を示す平面図である。
【図１４】本発明の実施の形態に係る養液栽培用システムの養液給排水装置の給排水制御部のフローチャートを示す図である。
【図１５】本発明の実施の形態に係る養液栽培用システムの養液給排水装置の給排水制御部のフローチャートを示す図である。
【図１６】従来の養液栽培用システムの一例を示す図である。
【符号の説明】
【００５０】
Ｓ  養液栽培用システム
Ｂ  ベッド
Ｍ  熱交換媒体
１０  ハウス
１１  窓
１２  害虫防除ネット
１３  保温カーテン
２０  養液槽
２１  底面
２２  側面
２３  両端部
２４  中間部
２５  開口
２６  谷部
２７  山部
３０  支持台
３１  枠体
３２  支持脚
３３  フレーム
３４  懸架部材
３５  アジャスタ
４０  保持部材
４０ａ  フック部
４１  保持孔
５０  ヒートパイプ
５１  外管
５２  熱伝達管
５３  温水送給管
５４  温水回収管
５５  ボイラ
５６  ハウス温度制御部
５７  温度設定手段
５８  ハウス温度検知センサ
６０  養液給排水装置
６１  タンク
６２  給排水管
６２ａ  給水分岐管
６２ｂ  排水分岐管
６２ｃ  ポンプ
６３，６４，６５  電磁弁
６７  養液調合タンク
６８  補充ポンプ
６９  ブロア
７０  給排水制御部
７１  空気曝露タイマ
７２  養液槽水位検知センサ
７５  養液補充パイプ
７６  電磁弁
７７  タンク水位検知センサ
９０  養液活性器
９１  取水管
９２  取水口
９３  活水器
９４  セラミクス
９４ａ  フィルタ
９５  養液温度調節器
９５ａ  冷却器
９６  放水管
９７  放水口
９８  ボール弁
９９  ポンプ
【図１】
2005198555.tif 000003
【図２】
2005198555.tif 000004
【図３】
2005198555.tif 000005
【図４】
2005198555.tif 000006
【図５】
2005198555.tif 000007
【図６】
2005198555.tif 000008
【図７】
2005198555.tif 000009
【図８】
2005198555.tif 000010
【図９】
2005198555.tif 000011
【図１０】
2005198555.tif 000012
【図１１】
2005198555.tif 000013
【図１２】
2005198555.tif 000014
【図１３】
2005198555.tif 000015
【図１４】
2005198555.tif 000016
【図１５】
2005198555.tif 000017
【図１６】
2005198555.tif 000018